(57)【特許請求の範囲】
【請求項１】
遊技球を貯留する受け皿を前面に有し、遊技機本体の前面に着脱可能に取り付けられた受け皿ユニットを備えた弾球遊技機において、
前記遊技機本体の前面に形成され、前記受け皿ユニットを受けるユニット受け部と、
前記受け皿ユニットに形成された脚と、
前記ユニット受け部に形成され、前記脚が差し込まれる差し込み孔とを備え、
前記差し込み孔を、遊技球の直径よりも大きくするとともに、前記遊技機本体の背面側に連通させ、
前記差し込み孔から進入した遊技球を前記遊技機本体の背面側に案内する遊技球案内片を前記差し込み孔の奥に形成したことを特徴とする弾球遊技機。
【請求項２】
前記ユニット受け部は、縦断面の形状が略コの字形に形成されるとともに、その開放部分が前記遊技機本体の背面側を向くように配置され、
前記ユニット受け部の上面に前記差し込み孔が形成されており、
前記遊技球案内片は、その一部が前記受け皿ユニットの上下の内壁に連なり、かつ遊技球の案内部分が前記差し込み孔から露呈するように形成されていることを特徴とする請求項１記載の弾球遊技機。
【請求項３】
板状の前記遊技球案内片を複数形成し、
各々の前記遊技球案内片を、互いが対面するように前記遊技機本体の幅方向に沿って配列するとともに、各々の端縁を前記差し込み孔から露呈させ、
前記遊技球案内片同士の間隔を前記遊技球の直径未満とし、
前記差し込み孔から露呈された前記端縁に前記遊技機本体の背面側に向けて下る傾斜をつけたことを特徴とする請求項１又は２に記載の弾球遊技機。
【請求項４】
前記受け皿ユニットが前記遊技機本体に取り付けられた状態で前記遊技球案内片と対峙するように配置され、前記遊技球案内片によって遊技球を前記遊技機本体の背面側に案内することが可能な壁を前記遊技機本体に設けたことを特徴とする請求項１〜３のいずれかに記載の弾球遊技機。
【発明の詳細な説明】
【技術分野】
【０００１】
遊技球を貯留する受け皿が前面を有し、遊技機本体に着脱可能に取り付けられた受け皿ユニットを備えた弾球遊技機に関するものである。
【背景技術】
【０００２】
パチンコ機の下部には、貸与を受けたパチンコ球や払い出された賞球を貯留する受け皿を前面に備えた受け皿ユニットが設けられている。受け皿ユニットには、球発射装置にパチンコ球を供給する供給通路や受け皿に貯留されたパチンコ球を排出する排出通路が内部に設けられ、その前面には受け皿に加えて灰皿などが設けられている。受け皿ユニットは例えば爪係合などによってパチンコ機本体に取り付けられていることが一般である（例えば特許文献１，２）。これにより、受け皿ユニット単体での交換やメンテナンスを可能にしている。
【０００３】
【特許文献１】特開平９−７５５２８号公報
【特許文献２】特開２０００−１４０３４１号公報
【発明の開示】
【発明が解決しようとする課題】
【０００４】
しかしながら上記のようなパチンコ機では、受け皿ユニットを爪係合のみによってパチンコ機本体に取り付けるとその位置決めが困難であるため、作業の効率が低下するという問題があった。これを解消するために、受け皿ユニットに脚を形成するとともに、この脚が差し込まれる差し込み孔をユニット受け部に形成して、受け皿ユニットの脚をユニット受け部の差し込み孔に差し込んでから受け皿ユニットをパチンコ機本体に固定することが検討されている。しかし、この場合、ユニット受け皿の脚を差し込み孔に差し込み作業を円滑に行うことのできるように差し込み孔の大きさはパチンコ球よりも大きくする必要があるため、受け皿ユニットをパチンコ機本体から取り外したときに、例えば前述した供給通路内などのパチンコ球が受け皿ユニットから落下し、差し込み孔からパチンコ機本体内に進入してしまうおそれがある。パチンコ球が進入してしまうと、パチンコ球を取り出す作業が発生してしまい、このことが、受け皿ユニットの着脱に伴う作業の効率を余計に低下させるおそれがある。
【０００５】
本発明は、上記課題を解決するためになされたもので、受け皿ユニットの遊技機本体との着脱に伴う作業を効率良くできるようにした弾球遊技機を提供することを目的とする。
【課題を解決するための手段】
【０００６】
本発明の弾球遊技機は、遊技球を貯留する受け皿を前面に有し、遊技機本体の前面に着脱可能に取り付けられた受け皿ユニットを備えた弾球遊技機において、前記遊技機本体の前面に形成され、前記受け皿ユニットを受けるユニット受け部と、前記受け皿ユニットに形成された脚と、前記ユニット受け部に形成され、前記脚が差し込まれる差し込み孔とを備え、前記差し込み孔を、遊技球の直径よりも大きくするとともに、前記遊技機本体の背面側に連通させ、前記差し込み孔から進入した遊技球を前記遊技機本体の背面側に案内する遊技球案内片を前記差し込み孔の奥に形成したものである。
【０００７】
なお、前記ユニット受け部は、縦断面の形状が略コの字形に形成されるとともに、その開放部分が前記遊技機本体の背面側を向くように配置され、前記ユニット受け部の上面に前記差し込み孔が形成されており、前記遊技球案内片は、その一部が前記受け皿ユニットの上下の内壁に連なり、かつ遊技球の案内部分が前記差し込み孔から露呈するように形成されていることが好ましい。
【０００８】
また、板状の前記遊技球案内片を複数形成し、各々の前記遊技球案内片を、互いが対面するように前記遊技機本体の幅方向に沿って配列するとともに、各々の端縁を前記差し込み孔から露呈させ、前記遊技球案内片同士の間隔を前記遊技球の直径未満とし、前記差し込み孔から露呈された前記端縁に前記遊技機本体の背面側に向けて下る傾斜をつけることが好ましい。
【０００９】
また、前記受け皿ユニットが前記遊技機本体に取り付けられた状態で前記遊技球案内片と対峙するように配置され、前記遊技球案内片によって遊技球を前記遊技機本体の背面側に案内することが可能な壁を前記遊技機本体に設けることが好ましい。
【００１０】
なお、前記受け皿ユニットの裏面側に、その幅方向と略平行な方向にスライド自在で、かついずれか一方の方向に付勢されたスライド爪を設けるとともに、前記付勢によって前記スライド爪が係止する爪係止部を前記遊技機本体に設け、前記受け皿ユニットに、前記スライド爪と前記爪係止部との係止を解除させる解除操作部を設けて、前記脚を前記差し込み孔に差し込んだ後に前記スライド爪を前記爪係止部に係止させると前記受け皿ユニットが前記遊技機本体に固定されることが好ましい。これにより、受け皿ユニットが遊技機本体に位置決めされた状態で受け皿ユニットを遊技機本体に固定することができ、受け皿ユニットの遊技機本体との着脱に伴う作業を効率良くできる。
【００１１】
また、前記脚を前記差し込み孔に差し込んだ後に前記受け皿ユニットを前記遊技機本体に仮止めする仮止め機構を設けることが好ましい。これにより、受け皿ユニットを遊技機本体に正確に位置決めしてから受け皿ユニットを遊技機本体に固定することが可能になり、受け皿ユニットの遊技機本体との着脱に伴う作業を効率良くできる。
【発明の効果】
【００１２】
受け皿ユニットの脚が差し込まれる差し込み孔を遊技機本体のユニット受け部に形成し、ユニット受け部の差し込み孔から進入した遊技球を遊技機本体の背面側に案内する遊技球案内片を差し込み孔の奥に形成したので、受け皿ユニットを遊技機本体から取り外したときに、遊技機本体から遊技球を取り出す作業が発生することを防止でき、受け皿ユニットの遊技機本体との着脱に伴う作業を効率良くできる。
【００１３】
また、ユニット受け部は、その上面に受け皿ユニットが載置されるとともに、前記上面に前記差し込み孔が形成されており、遊技球案内片は、その一部がユニット受け部の上下の内壁と連なり、かつ遊技球の案内部分が差し込み孔から露呈するように形成されているので、遊技球案内片でステージの補強を行うことが可能になり、ステージの強度を向上させることができる。
【００１４】
また、板状の遊技球案内片を複数形成し、各々の遊技球案内片を、互いが対面するように遊技機本体の幅方向に沿って配列するとともに、各々の端縁を差し込み孔から露呈させ、遊技球案内片同士の間隔を遊技球の直径未満とし、差し込み孔から露呈された遊技球案内片の端縁に遊技機本体の背面側に向けて下る傾斜をつけたので、遊技球を確実に遊技機本体の背面側に案内することができ、また、ユニット受け皿の脚と遊技球案内片とが干渉することを防止でき、これにより、受け皿ユニットの遊技機本体との着脱に伴う作業を効率良くできる。
【００１５】
また、受け皿ユニットが遊技機本体に取り付けられた状態で遊技球案内片と対峙するように配置され、前記遊技球案内片によって遊技球を前記遊技機本体の背面側に案内することが可能な壁を遊技機本体に設けたので、差し込み孔から遊技機本体内に異物を進入させることが不能になり、これにより、遊技機本体内に異物を挿入して弾球遊技機を誤動作させる不正行為を防止できる。
【発明を実施するための最良の形態】
【００１６】
図１に示すように、本発明のパチンコ機（弾球遊技機）１０は、パチンコ機本体（遊技機本体）１１と、パチンコ機本体１１の下部に配置された受け皿ユニット１２とからなる。パチンコ機本体１１は、木製の外枠１３と扉ユニット１４とからなる。扉ユニット１４は外枠１３の内側で回動自在に軸支されており、外枠１３から着脱可能に取り付けられている。扉ユニット１４は、遊技盤１５を備えており、その前方には開閉自在に軸支された前面扉１６が取り付けられている。遊技盤１５の前面には、図柄表示装置や各種入賞口、障害釘、風車などが設けられ、これにより、遊技盤１５の前面側に遊技領域が形成されている。
【００１７】
受け皿ユニット１２は、パチンコ機本体１１に着脱可能に取り付けられている。受け皿ユニット１２は、パチンコ球を貯留する受け皿１７がその前面に取り付けられている。受け皿１７には、その内壁に形成された払い出し口１８から賞球（入賞口で入賞が発生した場合に払い出されるパチンコ球）が払い出される。受け皿ユニット１２の下方には、受け皿ユニット１２の下方の隙間を覆うパネル１９が設けられている。
【００１８】
図２に示すように、外枠１３の内側は、扉ユニット１４が取り付けられる上部の扉ユニット取付部１１ａと受け皿ユニット１２が取り付けられる下部の受け皿ユニット取付部１１ｂとに区画されている。受け皿ユニット取付部１１ｂは横長な略矩形の領域になっている。受け皿ユニット取付部１１ｂの前面側でその下部には受け皿ユニット１２の下面を受けるユニット受け部２０が設けられている。
【００１９】
ユニット受け部２０は、その上面が受け皿ユニット１２を載置するステージ２０ａとなっている。ユニット受け部２０が受け皿ユニット１２を受けると、ユニット受け部２０のステージ２０ａに連なる前面と受け皿ユニット１２の前面で受け皿１７が形成される板状のベース部分とが略面一になる。ステージ２０ａには、その奥側の４箇所に差し込み孔２０ｂが形成されている。差し込み孔２０ｂは、ステージ２０ａの幅方向に沿って並べて配置されている。差し込み孔２０ｂは、各々がパチンコ球よりも大きく、かつ、パチンコ機本体１１の背面側に連通している。
【００２０】
図３に示すように、受け皿ユニット１２の底面でその奥側の端部には下方に突出する４つの脚１２ａが形成されている。脚１２ａは受け皿ユニット１２の幅方向に沿って並べて配置されている。脚１２ａは、矩形の板状に形成されており、差し込み孔２０ｂよりも一回り小さくなっている。そして、受け皿ユニット１２をステージ２０ａに載せる際に、脚１２ａが差し込み孔２０ｂに差し込まれる。
【００２１】
図４に示すように、差し込み孔２０ｂの奥には、差し込み孔２０ｂから進入したパチンコ球をパチンコ機本体１１の背面側に案内する遊技球案内片２１がパチンコ機本体１１に形成されている。また、遊技球案内片２１の奥には遊技球案内片２１と対峙する壁２２が形成されている。
【００２２】
遊技球案内片２１は板状に形成されている。ユニット受け部２０は、縦断面の形状が略コの字形に形成されている。遊技球案内片２１は、その基端側の端縁がユニット受け部２０の上下の内壁に連なるように形成されている。そして、遊技球案内片２１の先端側の端縁は差し込み孔２０ｂから露呈される。
【００２３】
遊技球案内片２１は、互いが対面するようにパチンコ機本体１１の幅方向に沿って３つ配列されている。そして、各々の間隔はパチンコ球の直径未満となっている。これにより、差し込み孔２０ｂから進入したパチンコ球が遊技球案内片２１同士の間で詰まることを防止している。
【００２４】
遊技球案内片２１の上縁で差し込み孔２０ｂから露呈された部分にはパチンコ機本体１１の背面側に向けて下る傾斜部２１ａが形成されている。これにより、差し込み孔２０ｂからパチンコ球が進入した場合、進入したパチンコ球が傾斜部２１ａによってパチンコ機本体１１の背面側にスムーズに案内される。また、受け皿ユニット１２の脚１２ａと遊技球案内片２１とが干渉して、脚１２ａを差し込み孔２０ｂから差し込むことが困難になることを防止している。
【００２５】
パネル１９は、その断面が略コの字形に形成されている。パネル１９は、外枠１３の下辺の内側に設けられたパネル取付部１３ａに取り付けられている。壁２２は、差し込み孔２０ｂの奥で上方に立ち上がるようにパネル１９の上面に形成されている。壁２２は、その相対的な高さが遊技球案内片２１よりも低くなっている。このため、遊技球案内片２１によって案内されたパチンコ球が壁２２で塞き止められてしまうことを防止し、パチンコ球をパチンコ機本体１１の背面側に排出することを可能にしている。
【００２６】
壁２２の上端部には、遊技球案内片２１に向けて突出した突起２２ａが形成されている。突起２２ａは壁２２の幅方向に延びており、その両端にわたって形成されている。突起２２ａの突出量は遊技球案内片２１と干渉しない程度で、かつステージ２０ａの下端部とオーバーラップするように設定されている。そして、突起２２ａを形成することで、ステージ２０ａとパネル１９との隙間からのパチンコ機本体１１内への異物の進入が防止されている。
【００２７】
図２に示すように、受け皿ユニット取付部１１ｂの前面側でその上部の略中央には略角筒形に形成された受け具固定リブ２４がその開口部が前面側を向くように形成されている。受け具固定リブ２４の両側壁にはビス固定部２４ａが形成されている。ビス固定部２４ａには後述するビス２７が取り付けられる。
【００２８】
図５に示すように、仮止め機構２５は、フック受け具２６及び仮止めフック２８からなる。受け具固定リブ２４には、その前面側にフック受け具２６が取り付けられている。フック受け具２６は例えば樹脂や金属などの材料で形成されている。フック受け具２６は、板状の部材の略中央部を受け具固定リブ２４側で湾曲させた湾曲部２６ａを備えている。そして、湾曲部２６ａの両側方に形成された孔２６ｂにビス２７を挿通させ、このビス２７をビス固定部２４ａに取り付けることによってフック受け具２６が受け具固定リブ２４に固定されている。
【００２９】
また、受け皿ユニット１２の裏面には、仮止めフック２８が取り付けられている。仮止めフック２８は、板状の土台２８ａ及び土台２８ａからフック受け具２６に向けて突出した突出部２８ｂを備えている。土台２８ａには突出部２８ｂの両側方に位置するように孔２８ｃが形成されている。そして、孔２８ｃにビス２７を挿通させることによって仮止めフック２８が受け皿ユニット１２の裏面に固定されている。
【００３０】
仮止めフック２８が受け皿ユニット１２に固定された状態では、突出部２８ｂが湾曲部２６ａに対峙する。突出部２８ｂはその側面が湾曲している。また、突出部２８ｂの外壁の形状と湾曲部２６ａの内壁の形状とは略同一になっている。そして、突出部２８ｂが湾曲部２６ａの内側に嵌め込まれると、突出部２８ｂが湾曲部２６ａに嵌合し、受け皿ユニット１２がパチンコ機本体１１に仮固定される。
【００３１】
図６に示すように、受け皿ユニット１２の裏面には３つのスライド爪３０が設けられている。スライド爪３０は、受け皿ユニット１２の幅方向（図中Ａ方向）に沿って並べて配置されている。スライド爪３０は受け皿ユニット１２の幅方向にスライド自在なっており、前面扉１６の軸側（図中左方）に向けて付勢されている。スライド爪３０には、その付勢方向側に略三角形状の係止部３０ａが形成されている。係止部３０ａは、後述する爪係止部３２に係止する。受け皿ユニット１２の上面でその奥側の端部には、３つのスライド爪３０と連結された解除フック３１設けられている。解除フック３１もスライド爪３０と同様に図中Ａ方向でスライド自在で、かつ前面扉１６の軸側（図中左方）に向けて付勢されている。解除フック３１を前面扉１６の軸側と反対側（図中右方）に向けてスライドさせると、これに連動してスライド爪３０は図中右方にスライドする。これにより、スライド爪３０と爪係止部３２との係止を解除される。なお、解除フック３１は扉ユニット１４を回動させると露呈され、常態では扉ユニット１４によって覆われている。
【００３２】
図２に示すように、受け皿ユニット取付部１１ｂの上端部には、その幅方向に沿って３箇所に配置された爪係止部３２が形成されている。爪係止部３２には、スライド爪３０と対峙する矩形状の開口３２ａが形成されている。受け皿ユニット１２を受け皿ユニット取付部１１ｂに取り付ける際には、スライド爪３０が開口３２ａからその内部に挿入される。スライド爪３０が開口３２ａに挿入される際には、係止部３０ａの斜辺の部分が開口３２ａの側縁に当接し、スライド爪３０が付勢方向と反対方向にスライドする。このため、解除フック３１によってスライド爪３０と爪係止部３２との係止を解除した状態を保持しなくてもスライド爪３０を開口３２ａ内に挿入することができる。開口３２ａの奥でその側方には係止壁３２ｂが形成されている。係止壁３２ｂには開口３２ａから挿入されたスライド爪３０の係止部３０ａが係止する。これにより、受け皿ユニット１２がパチンコ機本体１１に固定される。
【００３３】
次に、上記構成による作用について説明する。受け皿ユニット１２をパチンコ機本体１１から取り外すには、先ず、扉ユニット１４を回動させて解除フック３１を露呈させる。露呈された解除フック３１を扉ユニット１４の軸側と反対側にスライドすると、スライド爪３０と爪係止部３２との係止が解除される。この状態で受け皿ユニット１２を手前に引き出すと、受け皿ユニット１２がパチンコ機本体１１に仮固定された状態となる。この状態から、受け皿ユニット１２を手前に引き出すと、フック受け具２６と仮止めフック２８との嵌合が解除され、受け皿ユニット１２のパチンコ機本体１１への仮止めが解除される。仮止めを解除させた後に、受け皿ユニット１２を上方にスライドさせながら手前側に引き出すと、パチンコ機本体１１から受け皿ユニット１２が取り外される。このとき、受け皿ユニット１２からこぼれ落ちたパチンコ球が差し込み孔２０ｂ内に進入した場合、進入したパチンコ球は遊技球案内片２１の上縁を転動し、パチンコ機本体１１の背面側に排出される。これにより、例えば差し込み孔２０ｂから進入したパチンコ球がユニット受け部２０の内部に進入してしまい、これを取り出す作業が発生することを防止できる。
【００３４】
なお、例えば図７に示すように、遊技球案内片２１によって案内されたパチンコ球を特定の貯留部３５に誘導する誘導路３６を設けることが好ましい。図７の例では、壁２２の背面に誘導路３６が取り付けられ、パネル取付部１３ａの背面に貯留部３５が取り付けられている。そして、誘導路３６は略への字形状に折り曲げられ、その折り曲げ部分が外側に向けられている。また、貯留部３５は樋状に形成されている。遊技球案内片２１によって案内されたパチンコ球は、誘導路３６の傾斜に沿って貯留部３５に流下する。これにより、貯留部３５でパチンコ球が貯留されるため、遊技球案内片２１によって案内されたパチンコ球の回収が容易になる。
【００３５】
また、受け皿ユニット１２をパチンコ機本体１１に取り付けるには、受け皿ユニット１２の脚１２ａと差し込み孔２０ｂの位置合わせをしてから受け皿ユニット１２を下方にスライドさせる。これにより、脚１２ａが差し込み孔２０ｂに差し込まれる。脚１２ａを差し込んだ後に、ここを支点にして受け皿ユニット１２の上部をパチンコ機本体１１に向けて回動させると、仮止めフック２８がフック受け具２６に嵌合する。これにより、受け皿ユニット１２がパチンコ機本体１１へ仮止めされる。仮止めされた状態の受け皿ユニット１２をさらに回動させるとスライド爪３０が爪係止部３２に係止し、受け皿ユニット１２がパチンコ機本体１１に固定される。
【００３６】
上記実施形態では、遊技球案内片２１をユニット受け部２０の内部に形成したが、例えば、遊技球案内片２１をパネル１９に形成するなど、差し込み孔２０ｂから進入したパチンコ球をパチンコ機本体１１の背面側に案内できれば、その配置箇所はパチンコ機本体１１の適宜箇所にしてよい。
【００３７】
上記実施形態では、遊技球案内片２１を３つ形成したが、遊技球案内片２１を設ける数は適宜数にしてよい。また、遊技球案内片２１には、必ずしも傾斜部２１ａを設けなくてもよく、その形状は適宜の形状にしてよい。
【００３８】
上記実施形態では、受け皿ユニット１２のパチンコ機本体１１への固定をスライド爪３０の爪係止部３２への係止で行い、受け皿ユニット１２のパチンコ機本体１１への仮固定を仮止めフック２８とフック受け具２６との嵌合によって行ったが、双方の固定方法及び仮固定方法は適宜の方法によって行ってよい。
【産業上の利用可能性】
【００３９】
上記実施形態では、弾球遊技機としてパチンコ機を例に挙げて説明したが、遊技機本体の前面に着脱可能に取り付けられた受け皿ユニットを備えた弾球遊技機であれば、パチンコ機以外の適宜の弾球遊技機に本発明を適用できる。
【図面の簡単な説明】
【００４０】
【図１】パチンコ機の前面側の斜視図である。
【図２】パチンコ機から扉ユニットと受け皿ユニットとを取り外した状態を示す斜視図である。
【図３】受け皿ユニットの下面側からの斜視図である。
【図４】パチンコ機下部の縦断面図である。
【図５】仮止め機構の分解斜視図である。
【図６】受け皿ユニットの上面側からの斜視図である。
【図７】誘導路及び貯留部を設けたパチンコ機下部の縦断面図である。
【符号の説明】
【００４１】
１０  パチンコ機（弾球遊技機）
１１  パチンコ機本体（遊技機本体）
１２  受け皿ユニット
１２ａ  脚
２０  ユニット受け部
２０ａ  ステージ
２０ｂ  差し込み孔
２１  遊技球案内片
２１ａ  傾斜部
２２  壁
２５  仮止め機構
２６  フック受け具
２８  仮止めフック
３０  スライド爪
３１  解除フック
３２  爪係止部
【図１】
0004393428.tif 000002
【図２】
0004393428.tif 000003
【図３】
0004393428.tif 000004
【図４】
0004393428.tif 000005
【図５】
0004393428.tif 000006
【図６】
0004393428.tif 000007
【図７】
0004393428.tif 000008